(57)【要約】      （修正有）【課題】使用角度の調整可能な糸楊枝構造を提供する。【解決手段】洗浄棒体と軟性材質のフロスを組み合わせた糸楊枝であって、洗浄棒体は、グリップとフロスを有するヘッドとからなり、グリップとヘッドとが相対位置において、枢着連結し、使用する際の角度を調整することができるスリーブ部と被スリーブ部を有する。フロスの線体上に、切削端を有する第一洗浄部と、柔軟なブラシを有する第二洗浄部が、交互に使用できるように洗浄棒体上に固定されている。【選択図】図１
0003158228.tif 000002
【実用新案登録請求の範囲】
【請求項１】
洗浄棒体と、軟性材質で、取り替え使用が可能なフロスとを組み合わせてなる糸楊枝構造であって、
前記洗浄棒体は、グリップとヘッドとからなり、前記グリップと前記ヘッドの相対位置に、それぞれ、枢着連結し、角度を調整することができるスリーブ部と被スリーブ部を有し、
前記フロスの線体上には、切削端を有する第一洗浄部と、柔軟なブラシを有する第二洗浄部が、交互に使用できるように前記洗浄棒体上に固定されてなり、前記洗浄棒体が、多角度で使用可能としたことを特徴とする糸楊枝構造。
【請求項２】
前記グリップのスリーブ部は、相対する半月型で、底部は停止端を有する弾性ブロックを有し、前記ヘッドの被スリーブ部と枢着孔により連結してなることを特徴とする請求項１に記載の糸楊枝構造。
【請求項３】
前記弾性ブロックは、外縁に縦方向に複数の調整リブを有し、前記枢着孔の内壁の複数の調整浅溝と噛合し、前記調整リブは、前記の各調整浅溝中で前記グリップの回転を受け、前記ヘッドの角度を調整してなることを特徴とする請求項２に記載の糸楊枝構造。
【請求項４】
前記ヘッドは、門構え形であり、一部に、フロスを設置するための空間部を形成してなることを特徴とする請求項１に記載の糸楊枝構造。
【請求項５】
前記ヘッドは、辺縁上に凹溝を設置し、中央部には、前記凹溝と相通するＣ字型のスロットを貫設し、前記フロスを固定することができるようにしてなることを特徴とする請求項１に記載の糸楊枝構造。
【請求項６】
前記フロスは、適当な箇所に、２又は２以上の係合点を設置し、前記フロスの使用部分を固定してなることを特徴とする請求項１に記載の糸楊枝構造。
【請求項７】
前記フロスは、環状又は直線状であることを特徴とする請求項１に記載の糸楊枝構造。
【請求項８】
前記フロスの第二洗浄部は、長短の柔軟なブラシが、縦方向に配列されてなることを特徴とする請求項１に記載の糸楊枝構造。
【請求項９】
前記グリップの中央部から前方にフック状の収束部を凸設してなり、前記フロスの未使用部分を収容し、置換交換時に出して使用することができるようにしてなることを特徴とする請求項１に記載の糸楊枝構造。
【請求項１０】
前記洗浄棒体のヘッドは、洗浄部と歯間ブラシを有するように設計し、前記洗浄部の被スリーブ部は、前記グリップのスリーブ部と弾性を利用して枢着連結して、前記洗浄棒体が、多角度で歯をケアできるような構造にしてなることを特徴とする請求項１に記載の糸楊枝構造。
【考案の詳細な説明】
【技術分野】
【０００１】
本考案は、多角度で使用可能な糸楊枝構造に関するものであって、さらに詳しくは、グリップとヘッドとからなる楊枝構造であり、前記グリップ上に設けられた複数の調整リブを有するスリーブ部と、前記ヘッド上に設けられた複数の調整浅溝を有する被スリーブ部とが回動自在に連結してなり、多方位に回転可能であり、使用角度が調整可能な糸楊枝構造に関するものである。
【背景技術】
【０００２】
公知の口腔ケア用の糸楊枝は、図１３及び図１４に示すように、綿線材質のフロス３１を、Ｆ字型又はＹ字型の棒体３０上に固定したものである。そして、この種の公知の糸楊枝は、一体成型してなる固定形式のものであり、フロス３１は、平滑な線状をなし、弾性に乏しい構造のものであり、歯の隙間の歯石を除去するときに断裂する恐れがある。また、口腔ケア中にフロス３１が断裂すると、糸楊枝全体を破棄しなければならないので、浪費となり、経済上問題があった。  
【０００３】
かかる状況下にあって、例えば、糸片と案内棒と停止ボタンを備えた二つの分岐を有するフォーク状の糸楊枝が提案されている（特許第３１０２６０号公報）。
【０００４】
しかし、かかる糸楊枝に関する提案は、糸片との一体成型による固定形式ではないが、使用角度を対象とする歯の位置関係に応じて変化させる構造のものではない。
【０００５】
すなわち、歯の隙間の歯石を根こそぎ取るとき、使用者の歯の位置、配列方式が異なるので、公知の固定形式の糸楊枝では、異なる角度で歯の隙間に挿入することができるように調整することができず、使用上不便であるほか、歯石が歯の隙間に残留し、これを除去することができないので、ケア効果が大幅に減少するおそれがあった。
【特許文献１】特許第３１０１２６０号公報
【考案の開示】
【考案が解決しようとする課題】
【０００６】
従って、本考案の課題は、前記の事情に鑑み、使用者の歯の配列が異なり、歯間に残留する歯石を容易に除去することができるように歯列との接触面を多角度に調整可能な構造の糸楊枝を提供する点にある。
【課題を解決するための手段】
【０００７】
そこで、本考案者は、前記の本考案の課題を解決するために鋭意検討を重ねたところ、グリップ部と該グリップ部に回転自在に連結したヘッドと、該ヘッドに取り付けられたフロスとからなる構造の糸楊枝が、前記課題を解決できることに着目し、かかる知見に基づいて、本考案を想到するに至った。
【０００８】
すなわち、本考案の目的は、多角度で使用可能な糸楊枝構造を提供し、グリップ上に設けられた複数の調整リブを有するスリーブ部と、ヘッド上に設けられた複数の調整浅溝を有する被スリーブ部とが連結してなり、全方位に回転して角度が調整できる洗浄棒構造で、洗浄棒体に取り付ける第一、第二洗浄部が軟性材質であるフロスは交換が可能としたものであり、全体を使い捨てる従来の糸楊枝のような無駄がなく、また、洗浄角度が調整できて、効果的に、歯の隙間の歯石を落とすことができる糸楊枝を提供することにある。
【０００９】
本考案のもう一つの目的は、切削端を有する第一洗浄部と、縦方向に長短に配列された柔軟ブラシを有する第二洗浄部と、からなるフロス部分が、往復動作により、効果的に歯石を掻き出すことができる多角度で使用可能な糸楊枝構造を提供することにある。
【００１０】
かくして、本考案によれば、請求項１において、
洗浄棒体と、軟性材質で、取り替え使用が可能なフロスとを組み合わせてなる糸楊枝構造であって、
前記洗浄棒体は、グリップとヘッドとからなり、前記グリップと前記ヘッドの相対位置に、それぞれ、枢着連結し、角度を調整することができるスリーブ部と被スリーブ部を有し、
前記フロスの線体上には、切削端を有する第一洗浄部と、柔軟なブラシを有する第二洗浄部が、交互に使用できるように前記洗浄棒体上に固定されてなり、前記洗浄棒体が、多角度で使用可能としたことを特徴とする糸楊枝構造が提供される。
【００１１】
請求項２に係る考案によれば、
前記グリップのスリーブ部は、相対する半月型で、底部は停止端を有する弾性ブロックを有し、前記ヘッドの被スリーブ部と枢着孔により連結してなることを特徴とする請求項１に記載の糸楊枝構造が提供される。
【００１２】
請求項３に係る考案によれば、
前記弾性ブロックは、外縁に縦方向に複数の調整リブを有し、前記枢着孔の内壁の複数の調整浅溝と噛合し、前記調整リブは、前記の各調整浅溝中で前記グリップの回転を受け、前記ヘッドの角度を調整してなることを特徴とする請求項２に記載の糸楊枝構造が提供される。
【００１３】
請求項４に係る考案によれば、
前記ヘッドは、門構え形であり、一部に、フロスを設置するための空間部を形成してなることを特徴とする請求項１に記載の糸楊枝構造が提供される。
【００１４】
請求項５に係る考案によれば、
前記ヘッドは、辺縁上に凹溝を設置し、中央部には、前記凹溝と相通するＣ字型のスロットを貫設し、前記フロスを固定することができるようにしてなることを特徴とする請求項１に記載の糸楊枝構造。
【００１５】
請求項６に係る考案によれば、
前記フロスは、適当な箇所に、２又は２以上の係合点を設置し、前記フロスの使用部分を固定してなることを特徴とする請求項１に記載の糸楊枝構造が提供される。
【００１６】
請求項７に係る考案によれば、
前記フロスは、環状又は直線状であることを特徴とする請求項１に記載の糸楊枝構造が提供される。
【００１７】
請求項８に係る考案によれば、
前記フロスの第二洗浄部は、長短の柔軟なブラシが、縦方向に配列されてなることを特徴とする請求項１に記載の糸楊枝構造が提供される。
【００１８】
請求項９に係る考案によれば、
前記グリップの中央部から前方にフック状の収束部を凸設してなり、前記フロスの未使用部分を収容し、置換交換時に出して使用することができるようにしてなることを特徴とする請求項１に記載の糸楊枝構造が提供される。
【００１９】
請求項１０に係る考案によれば、
前記洗浄棒体のヘッドは、洗浄部と歯間ブラシを有するように設計し、前記洗浄部の被スリーブ部は、前記グリップのスリーブ部と弾性を利用して枢着連結して、前記洗浄棒体が、多角度で歯をケアできるような構造にしてなることを特徴とする請求項１に記載の糸楊枝構造が提供される。
【００２０】
本考案の糸楊枝構造は、洗浄棒体と軟性材質のフロスを組み合わせた糸楊枝で、洗浄棒体は、グリップとフロスを有するヘッドとからなり、グリップとヘッドの相対位置に、それぞれ、枢着連結し、使用角度を調整することができるスリーブ部と被スリーブ部を有する。フロスの線体上に、切削端を有する第一洗浄部と、柔軟なブラシを有する第二洗浄部が、交互に使用できるように洗浄棒体上に固定されたものである。かかる構成からなる糸楊枝によれば、効果的に、歯の間の歯石を落とし、多方位、多角度でケアすることができる。
【考案の効果】
【００２１】
本考案により、従来の糸楊枝の使用の不便さを改善し、多方位で、効果的に歯石を落とすことができる。
【考案を実施するための最良の形態】
【００２２】
次に、本考案に係る糸楊枝について、図面に基づいて具体的に説明する。
図１〜図５で示されるように、本考案の、一実施態様による糸楊枝は、角度が調整できる洗浄棒体１０と交換可能な柔軟な軟性材質のフロス２０を組み合わせてなり、歯の隙間の歯石を落とすように構成されたものである。
【００２３】
洗浄棒体１０は、人体工学に適合する棒状のグリップ１１とヘッド１２からなる。グリップ１１の一方の先端部には、ヘッド１２を結合するスリーブ部１１１を凸設してある。スリーブ部１１１は、外縁に複数の調整リブ１１３と、先端に環端１１４を有する半月状の弾性ブロック１１２を設けてある。
【００２４】
ヘッド１２は、門構え形で、一部に、フロス２０を取り付けするための空間部１２１を形成してある。ヘッド１２の上方は先端に向けて、スリーブ部１１１と結合する被スリーブ部１２２を延設する。被スリーブ部１２２は、内壁に複数の調整浅溝１２４を有する枢着孔１２３を穿設する。ヘッド１２の門構え形の周縁に、凹溝１２５を設け、中央部には、凹溝１２５と相通するＣ字型のスロット１２６を貫設する。交換可能なフロス２０は環状、又は、直線状で設置し、切削端２１１を有する第一洗浄部２１が歯の隙間の歯石を落とす。また、フロス上の適当な位置に、２又は２以上の柔軟なブラシ２２１を有する第二洗浄部２２を有し、死角の歯石を落とし、歯茎をマッサージすることができる。第二洗浄部２２の柔軟なブラシ２２１は、縦方向に長短の糸片が配列されてある。フロス２０の適当な箇所に、環状の係合点２３を設置し、グリップ１１の中央部から前方に、フック状収束部１１５を凸設する。
【００２５】
本考案に係る糸楊枝を使用する際には、図６、図７で示されるように、まず、ヘッド１２の被スリーブ部１２２をグリップ１１のスリーブ部１１１に固定する。スリーブ部１１１の両弾性ブロック１１２を被スリーブ部１２２の枢着孔１２３に枢着して、停止端１２４で固定する。且つ、両弾性ブロック１１２の外縁の各調整リブ１１３が、枢着孔１２３内壁の各調整浅溝１２４中に噛合して、フロス２０は、ヘッド１２の孔部１２１の両側から、凹溝１２５内を経て、両Ｃ字形スロット１２６中に挿入して、係合点２３で固定する。
【００２６】
フロス２０は、第一、第二洗浄部２１、２２を含む使用部分２０ａが、ヘッド１２の空間部１２１間で、歯石を落とす弦線を形成し、未使用部分２０ｂは、自然に収束部１１５に固定されて、次の使用を待つ。
【００２７】
使用者は、口腔をケアしたいとき、第一洗浄部２１の切削端２１１を利用して、効果的に歯の隙間の歯石を掻き出し、第二洗浄部２２の柔軟なブラシ２２１を歯の間で往復させれば、死角の歯石も容易に落とすことができる。
【００２８】
また、奥歯の歯石を落とす場合には、図８で示されるように、グリップ１１を握って左右に旋転させ、グリップ１１の前方のスリーブ部１１１の弾性ブロック１１２の各調整リブ１１３が、グリップ１１の回転を受けて、ヘッド１２の枢着孔１２３の内壁の各調整浅溝１２４で停止し（図９で示される）、洗浄棒が多方位に弾性を利用して角度を調整して、最適な角度で、歯の歯石を落とすことができる。
【００２９】
また、本考案に係る糸楊枝の一定期間使用後に、洗浄棒体１０を交換する場合には、図１０で示されるように手でスリーブ部１１１の両弾性ブロック１１２を内側に圧縮して、停止端１１４を被スリーブ部１２２の枢着孔１２３から脱離させれば、グリップ１１とヘッド１２を分離して、交換動作を行うことができ、フロス部分だけを交換することができるので、資源の浪費を減少させることができる。
【００３０】
図１１で示されるように、洗浄棒体１０ａのヘッド１２は、洗浄部１２ａと歯間ブラシ１２１ａを有するように設計し、洗浄部１２ａの被スリーブ部１２２は、グリップ１１のスリーブ部１１１と弾性を利用して枢着連結できるので、洗浄棒体１０が、多角度で歯をケアできるような構造になる。
【００３１】
図１２で示されるように、フロス２０は口腔ケア用品として、単独で使用することもできるし、洗浄棒体１０上に固定して、糸楊枝として使用することもできる。更に、使用者の必要に応じて、フロスの適当な部分を取り出して使用することもできるなど、フレキシブルな使用が可能である。
【図面の簡単な説明】
【００３２】
【図１】本考案の一実施形態による糸楊枝の分解斜視図である。
【図２】本考案の一実施形態による糸楊枝のグリップの極部拡大図である。
【図３】本考案の一実施形態による糸楊枝のヘッドの拡大説明図である。
【図４】本考案の一実施形態による糸楊枝のフロスの部分拡大斜視図である。
【図５】本考案の一実施形態による糸楊枝のフロスの部分拡大側面図である。
【図６】本考案の一実施形態による糸楊枝の組み合て説明図である。
【図７】本考案の一実施形態による糸楊枝の部分横断面図である。
【図８】本考案の一実施形態による糸楊枝の使用状態を示す斜視図である。
【図９】本考案の一実施形態による糸楊枝の部分縦断面図である。
【図１０】本考案の一実施形態による糸楊枝の洗浄棒体の分解状態を示す図である。
【図１１】本考案の他の実施形態による糸楊枝の分解斜視図である。
【図１２】本考案の一実施形態による糸楊枝のフロスの単独使用状態を示す図である。
【図１３】公知の糸楊枝の使用状態を示す図である。
【図１４】公知の他の糸楊枝の使用状態を示す図である。
【符号の説明】
【００３３】
１０、１０ａ洗浄棒体
１１        グリップ
１１１      スリーブ部
１１２      弾性ブロック
１１３      調整リブ
１１４      停止縁
１１５      収束部
１２        ヘッド
１２ａ      洗浄部
１２１      空間部
１２１ａ    歯間ブラシ
１２２      被スリーブ部
１２３      枢着孔
１２４      調整浅溝
１２５      凹溝
１２６      スロット
２０        フロス
２０ａ      使用部分
２０ｂ      未使用部分
２１        第一洗浄部
２１１      切削端
２３        係合点
【図１】
0003158228.tif 000003
【図２】
0003158228.tif 000004
【図３】
0003158228.tif 000005
【図４】
0003158228.tif 000006
【図５】
0003158228.tif 000007
【図６】
0003158228.tif 000008
【図７】
0003158228.tif 000009
【図８】
0003158228.tif 000010
【図９】
0003158228.tif 000011
【図１０】
0003158228.tif 000012
【図１１】
0003158228.tif 000013
【図１２】
0003158228.tif 000014
【図１３】
0003158228.tif 000015
【図１４】
0003158228.tif 000016